(57)【要約】【課題】  レリースワイヤによる排水栓の昇降操作を伝達する遠隔操作式排水栓装置において、排水管に装着されたブッシュをレリースワイヤが挿通され、該ブッシュは、レリースワイヤの抜き差しができない上、レリースワイヤのブッシュと作動部との間の長さを変更調整できないので、弛みを生じたり、引きつりを生じたりして、作動部への接続施工を困難にしている。【解決手段】  レリースワイヤによる排水栓の昇降操作を伝達する遠隔操作式排水栓装置において、排水管には、引出し枝管が形成され、該引出し枝管にレリースワイヤを挿通してシール装着するブッシュが被冠され、該ブッシュを、蛇腹状胴部と、その一端のレリースワイヤがシール装着される環状凹凸でなるラビリンス部と、引出し枝管に被冠される装着部とでなるレリースワイヤ用シール材である。【選択図】図１
2009052379.tif 000002
【特許請求の範囲】
【請求項１】
レリースワイヤによる遠隔操作式排水栓装置において、排水管に、該排水管へレリースワイヤを挿通させる引出し枝管が形成され、該引出し枝管には、レリースワイヤを挿通してシール装着するブッシュが被冠され、該ブッシュは蛇腹状胴部とし、その胴部の一端には、引出し枝管端部の環状係合部分に嵌着係合される係合部を内側に設けて装着部とし、且つその胴部の他端には、内側にレリースワイヤがシール装着される環状凹凸でなるラビリンス部を形成することを特徴とするレリースワイヤ用シール材。
【請求項２】
ブッシュが、同一径の環状の山及び谷でなる蛇腹状胴部であることを特徴とする請求項１記載のレリースワイヤ用シール材。
【請求項３】
ブッシュが、装着部からラビリンス部へ漸次に径を小さくする環状の山及び谷でなる蛇腹状胴部であることを特徴とする請求項１記載のレリースワイヤ用シール材。
【発明の詳細な説明】
【技術分野】
【０００１】  本発明は、遠隔操作で排水口を開閉する遠隔操作式排水栓装置における排水栓の昇降操作を伝達するレリースワイヤが挿通される排水管の引出し枝管にシール装着されるレリースワイヤ用シール材に関するものである。
【背景技術】
【０００２】  従来、遠隔操作式排水栓装置のレリースワイヤ挿通箇所のシール構造は、レリースワイヤの挿通箇所にガイドチューブを取付け、該ガイドチューブにガイドされてレリースワイヤが引き出されている（特許文献１）。
ところが、レリースワイヤ自身の強度性と、耐久性等が向上されることによって、ガイドチューブを必要としなくなり、且つ、施工上の合理化より、レリースワイヤ挿通箇所でのシール構造には、ブッシュが用いられることで、充分な機能効果を果すことになった。
そして、遠隔操作式排水栓装置においてのレリースワイヤ用シール材は、該シール材のブッシュを排水管へ装着係止するために、係止溝がブッシュ外周に刻設され、該ブッシュ長手方向軸心には、レリースワイヤを挿通する挿通路が設けられ、そして、ブッシュの前記係止溝を境として、その一方外周を漸次狭まる円錐台周面のガイド面とし、他方外周の端面には、環状凹欠部を設け、その環状凹欠部の内側にレリースワイヤ屈折変形防止のチューブが突設されているものである（特許文献２）。【０００３】
【特許文献１】  特開２００４−１５００６５
【特許文献２】  特開２００６−３０７５４２
【発明の開示】
【発明が解決しようとする課題】
【０００４】  遠隔操作式排水栓装置における従来のレリースワイヤ用シール材は、シールすることについてが徹底され、止水性の点ではよいが、その他の施工、及びその機能の点では不都合があった。レリースワイヤはブッシュで挟持固定しているので、遠隔操作式排水栓装置におけるこのブッシュにより組込まれたレリースワイヤが抜き差しできず、固定されてしまった状態で、レリースワイヤの設置施工されて、そのレリースワイヤの固定位置決めに自由がなく、排水管内でのレリースワイヤの作動部への接続で生じる長さの長短にあっては弛み、引きつり等できて、作業困難である。
また、従来のこのレリースワイヤ用シール材は、ブッシュにレリースワイヤ屈折変形防止のチューブが備えられているが、これは、レリースワイヤが曲げられても屈折変形しないように設けられたものであるのにもかかわらず、軟らか過ぎて屈折したり、ときには硬くて曲げにくくて、その上、亀裂してしまうなどし、不都合である。
そこで、本発明は、設置施工作業に困難なく、簡単且つ簡易にでき、レリースワイヤが狭隘な箇所でも極度の曲げを可能にし、しかも、屈折変形することのないレリースワイヤ用シール材が得られることを目的とする。
【課題を解決するための手段】
【０００５】  本発明のレリースワイヤ用シール材は、レリースワイヤによる遠隔操作式排水栓装置において、排水管に、該排水管へレリースワイヤを挿通させる引出し枝管が形成され、該引出し枝管には、レリースワイヤを挿通してシール装着するブッシュが被冠され、該ブッシュは蛇腹状胴部とし、その蛇腹状胴部の一端には、引出し技管端部の環状係合部分に嵌着係合される係合部を内側に設けて装着部とし、且つその胴部の他端には、内側にレリースワイヤがシール装着される環状凹凸でなるラビリンス部を形成するものである。【０００６】  本発明のレリースワイヤ用シール材は、ブッシュが、同一径の環状の山及び谷でなる蛇腹状胴部であるものである。【０００７】  本発明のレリースワイヤ用シール材は、ブッシュが装着部からラビリンス部へ漸次に径を小さくする環状の山及び谷でなる蛇腹状胴部であるものである。
【発明の効果】
【０００８】  本発明のレリースワイヤ用シール材は、遠隔操作式排水栓装置において、排水管に形成したレリースワイヤが挿通される引出し枝管へワンタッチで被冠できるブッシュであって、この被冠には、ブッシュが蛇腹状胴部をし、その胴部の一端には、内側が係合溝の刻設される装着部でインロー嵌めにしているので外れることなく、また、このブッシュは、その胴部の他端には、内側に、レリースワイヤがシール装着される環状凹凸のラビリンス部を形成しているので、このラビリンス部によってレリースワイヤが強く押し引きされれば、摺動してブッシュからの引き出し長さの調整をすることができ、その上、止水性がそのラビリンス部の環状凹凸で得られるものである。また更に、ブッシュが蛇腹状胴部であるので、この蛇腹状胴部によって伸縮自在で、狭隘箇所でのブッシュのシャープな屈曲であってもレリースワイヤを滑らかな曲げにできる。よって、レリースワイヤ用シール材であるこのブッシュによって、配設されたレリースワイヤは容易に滑らかな曲げをさせることができると共に、この施工においても簡単、且つ容易に作業をすることができる。【０００９】  本発明のレリースワイヤ用シール材は、装着部から漸次に径を小さくする環状山及び谷でなる蛇腹状胴部のブッシュであるので、収縮時に、大径の環状山及び谷内へ、小径の環状山及び谷を入込む形態にでき、蛇腹状胴部の伸縮幅を大きくすることができ、よって、ラビリンス部を挿通されたレリースワイヤの排水管内での大きな弛みをも蛇腹状胴部の伸長で解消することができる。また、この蛇腹状胴部を備えたブッシュは屈折変形防止をし、狭隘な箇所でのブッシュのシャープな屈曲にもレリースワイヤを滑らか、且つ緩慢な曲げになし得ることができる。
同一径の環状の山及び谷でなる蛇腹状胴部であるブッシュの場合には、レリースワイヤを挿通させたブッシュが屈曲されると、蛇腹状胴部の同一径の環状山同士が、屈曲内側部分で相互に干渉して屈曲度を弾発制御し、ブッシュ長さを短くしてもシャープな屈曲でき、レリースワイヤの屈折変形防止できる。
よって、極めて狭隘の場所でのレリースワイヤの配設作業に有効である。【００１０】  また、ブッシュが蛇腹状胴部でなるので、レリースワイヤを挿通したこのブッシュが、排水管の引出し枝管に被冠されて、レリースワイヤを排水栓の作動部に接続する施工に際し、ラビリンス部でシール装着されたレリースワイヤを作動部までの長さが長ければ弛みを生じ、短かければ引きつりを生じることになるが、それを蛇腹状胴部の伸縮で吸収解消することができる。
そして、施工時にレリースワイヤを瞬間的に引張るような力が加わった場合では、蛇腹状胴部で吸収し、レリースワイヤの伸びを防ぐことができる。
【発明を実施するための形態】
【００１１】  本発明のレリースワイヤ用シール材は、レリースワイヤによる遠隔操作式排水栓装置において、排水管よりレリースワイヤを引き出すのに当って、排水管の引出し枝管に被冠させる装着部と、止水性のあるラビリンス部と、狭隘な箇所でのシャープの屈曲作業に備えた蛇腹状胴部とでなるブッシュにある。
【００１２】  図１に示す如く、浴槽１０がパッキン１４を介して、排水口金具１１と直落しナット３０とで挟持締着され、該排水口金具に支持部１２をもって、排水口の開閉をする排水栓１３昇降の作動部２１が備えられる。該作動部には、レリースワイヤ２０を接続して、該レリースワイヤによる遠隔操作式排水栓装置２が形成される。
直落しナット３０は、それに接合の軟質パッキン３１とで排水管３を形成し、防水パン４の排水口である排水トラップ又は排水トラップ接続管４１のカバー４２に設けられた排水口４３に軟質パッキン３１が挿込まれ、押圧シールされる。
直落しナット３０には、レリースワイヤ２０を排水管３より引き出すための引出し枝管３２が形成され、レリースワイヤ用シール材であるブッシュ５を嵌着する。
【００１３】  レリースワイヤ用シール材は、図２、図３、図４、及び図５で示す如く、レリースワイヤ２０を挿通して排水管へのシール装着がされるブッシュ５、５ａであって、屈折変形防止の蛇腹状胴部５０、５０ａと、排水管の引出し枝管３２に被冠し、引出し枝管に形成された係合部分の溝帯３２０にインロー嵌めする係合部の係合帯５１０を形成した装着部５１と、その挿通されたレリースワイヤ２０をシール挟持する環状凹凸５２０でなるラビリンス部５２とでなるものである。
【００１４】  図２、及び図３で示す如くのブッシュ５は、蛇腹状胴部５０が、装着部５１からラビリンス部５２へ漸次に径を小さくする環状の山５０１及び谷５０２でなるものである。
また、図４、及び図５で示す如くのブッシュ５ａは、同一径の環状の山５０１ａ及び谷５０２ａでなる蛇腹状胴部５０ａを構成とするものである。
【００１５】  ブッシュ５、５ａは、合成樹脂、ゴム等の弾性材料で形成され、装着部５１が、排水管３の引出し枝管３２に被冠、インロー嵌め等されて、容易に外れることのない堅固の嵌着にすることができ、そして、環状凹凸５２０でなるラビリンス部５２がシールに優れているので良好な止水性を保つことができ、その上、レリースワイヤ２０を強く押し引きすれば、レリースワイヤ２０の挿通の引き出し、押し込みをできて、レリースワイヤ２０の排水管３よりの引き出し長さ量の調整ができる。
ブッシュ５、５ａは、蛇腹状胴部５０、５０ａでなっているので、この蛇腹状胴部の伸縮屈曲で、これに挿通されているレリースワイヤ２０の屈折変形防止をし、狭隘の箇所でシャープな屈曲であっても曲げ負荷力を蛇腹状胴部が吸収して、滑らかにして緩慢に曲げができ、亀裂してしまうことなく、耐久性に富むものである。
また、ブッシュ５、５ａが蛇腹状胴部５０、５０ａでなるので、レリースワイヤ２０を挿通したこのブッシュ５、５ａが、排水管の引出し枝管３２に被冠されて、レリースワイヤ２０を排水栓１３の作動部２１に接続する施工に際し、レリースワイヤ２０を強く押し引きすれば、ブッシュのラビリンス部５２を摺動して、該ラビリンス部より作動部２１までの長さを変更することもできるが、ラビリンス部５２でシール装着されたレリースワイヤ２０の遠隔操作式排水栓装置への配設施工において、ラビリンス部５２から作動部２１へのレリースワイヤの長さが長ければ弛みを生じて排水流れに支障を帰し、また、長さが短ければ引きつりを生じて、レリースワイヤによる操作の伝達に不祥事を起すことによって不都合であったが、蛇腹状胴部の伸縮でこれらの点が解消されることになる。
【図面の簡単な説明】
【００１６】
【図１】  排水管にレリースワイヤ用シール材を被冠した状態の遠隔操作式排水栓装置の全体図である。
【図２】  ブッシュの漸次に径の小さくなる蛇腹状胴部を備えたレリースワイヤ用シール材の断面図である。
【図３】  ブッシュの漸次に径の小さくなる蛇腹状胴部を備えたレリースワイヤ用シール材の前面図である。
【図４】  ブッシュの同一径の蛇腹状胴部を備えたレリースワイヤ用シール材の断面図である。
【図５】  ブッシュの同一径の蛇腹状胴部を備えたレリースワイヤ用シール材の前面図である。
【符号の説明】
【００１７】１０      浴槽
１１      排水口金具
１２      支持部
１３      排水栓
１４      パッキン
２        遠隔操作式排水栓装置
２０      レリースワイヤ
２１      作動部
３        排水管
３０      直落しナット
３１      軟質パッキン
３２      引出し枝管
３２０    溝帯
４        防水パン
４１      排水トラップ又は排水トラップ接続管
４２      カバー
４３      排水口
５        ブッシュ
５ａ      ブッシュ
５０      蛇腹状胴部
５０ａ    蛇腹状胴部
５０１    山
５０２    谷
５１      装着部
５１０    係合帯
５２      ラビリンス部
５２０    環状凹凸
【図１】
2009052379.tif 000003
【図２】
2009052379.tif 000004
【図３】
2009052379.tif 000005
【図４】
2009052379.tif 000006
【図５】
2009052379.tif 000007